(57)【要約】【課題】崖崩れ，土砂崩れ，地滑り等の発生状況を面で捉えて常時観測すると共に、微小変動を捉えて災害発生の起きる直前の前兆を予知することにより、地域内の住民に逸早い避難勧告を同報無線にて行うことができる、センサ入力機能付きバッテリーレス型ＲＦＩＤタグを用いた崩落予知システムを得る。【解決手段】崖崩れ，土砂崩れ，地滑り等の発生状況をバッテリーレスにて常時観測するための変動検知センサと、前記変動検知センサより設置箇所の変動データを無線通信にて取得するための検知中継装置と、前記変動データを収集して解析処理を行うと共に、災害発生の予知と発生直前における避難勧告を行うための同報無線システムにて構成する。【選択図】        図１
2007128187.tif 000002
【特許請求の範囲】
【請求項１】
崖崩れ，土砂崩れ，地滑り等の発生状況をバッテリーレスにて常時観測するための変動検知センサと、前記変動検知センサより設置箇所の変動データを無線通信にて取得するための検知中継装置と、前記変動データを収集して解析処理を行うと共に、災害発生の予知と発生直前における避難勧告を行うための同報無線システムにて構成し、
前記崖崩れ，土砂崩れ，地滑り等の発生状況をバッテリーレスにて常時観測するための変動検知センサにあっては、バイアス電源が無くとも変動に応じたセンサ信号が出力される磁気平衡型３軸加速度センサと、該磁気平衡型３軸加速度センサから出力されるセンサ信号を処理して変動データを検知することができるセンサ入力機能付きバッテリーレス型ＲＦＩＤタグとを密閉された直線状の筒体の上下両端部に内蔵し若しくは十字状の筒体の上下両端部及び左右両端部に内蔵して構成し、
前記変動検知センサより設置箇所の変動データを取得ための検知中継装置にあっては、前記磁気平衡型３軸加速度センサを接続したセンサ入力機能付きバッテリーレス型ＲＦＩＤタグと無線通信を行うことにより変動データを取得することができるリーダーと、該変動データを同報無線を中継して防災センターに伝送すべく前記同報無線と無線通信を行うためのＲＦ通信装置と、当該検知中継装置設置部の変動データを検知するための変動検知センサと、前記リーダーとＲＦ通信装置に電源供給を行うための太陽電池とバッテリー及び電源回路にて構成することを特徴とした、センサ入力機能付きバッテリーレス型ＲＦＩＤタグを用いた崩落予知システム。
【請求項２】
変動検知センサ及び検知中継装置の設置方法にあっては、崖崩れ，土砂崩れ，地滑り等の発生の可能性の高い崖等の斜面において、変動検知センサを検知中継装置を中心として放射状に複数箇所及び当該検知中継装置自体に設置し、更に前記組み合せを互いに影響しないような距離を持たせて検知すべき領域の広さに応じて複数箇所に設置することを特徴とした、請求項１に記載のセンサ入力機能付きバッテリーレス型ＲＦＩＤタグを用いた崩落予知システム。
【請求項３】
変動データより災害発生の予知と発生直前における避難勧告を行う方法にあっては、上記変動検知センサ及び検知中継装置にて取得した変動データを同報無線を中継して防災センターに伝送すると共に、該防災センター内のサーバーにてデータ解析処理を行い、災害発生が起きる可能性が高いと判断された場合に避難勧告を前記同報無線にて行うことを特徴とした、請求項１に記載のセンサ入力機能付きバッテリーレス型ＲＦＩＤタグを用いた崩落予知システム。
【発明の詳細な説明】
【技術分野】
【０００１】
本発明は、崖崩れ，土砂崩れ，地滑り等の発生状況を常時観測することにより、災害発生の予知と発生直前における避難勧告を同報無線にて行うことができる、センサ入力機能付きバッテリーレス型ＲＦＩＤ（Radio Frequency Identification）タグを用いた崩落予知システムに関するものである。
【背景技術】
【０００２】
従来、崖崩れ，土砂崩れ，地滑り等の災害発生を検知する場合、前記災害の起きる可能性の高い崖や山の斜面にワイヤセンサや伸縮計等の災害検知センサを設置し、該災害検知センサより出力されたセンサ信号により災害発生の検知を行っていた。該災害検知センサ及び周辺装置には電子装置が組み込まれているため、電源ケーブルや信号ケーブルの敷設が必要である。そこで、前記崖や山の斜面に災害検知センサを設置して電源ケーブルや信号ケーブルの敷設工事を行う場合、設置環境が劣悪なために非常な困難を伴っていた。また、前記ケーブルの断線が起こる可能性もあり、信頼性に欠けていた。
【０００３】
上記課題を解決すべく、例えば特開２００１−３４８７４号公報の『災害検知センサ伝送装置』においては、災害発生の起きる可能性の高い場所にワイヤセンサや伸縮計等の災害検知センサを複数箇所に配置し、前記災害検知センサの近傍に配置したセンサ送信機にてセンサ情報を遠方のセンサ受信機に送信する、無線通信によるセンサ情報の伝送システムが記載されている。
【０００４】
【特許文献１】特開２００１−３４８７４
【発明の開示】
【発明が解決しようとする課題】
【０００５】
しかしながら、上記公報等においては、災害発生の起きる可能性の高い場所に配置する災害検知センサとして一般的にワイヤセンサや伸縮計等を使用し、岩盤や地盤の直線的な距離の伸縮により災害発生を検知するものであった。従って、前記ワイヤセンサや伸縮計等の配置から外れた場所は検知することができず、面で捉えた精細な発生状況を検知することができないという問題点があった。更には、災害発生が起きた結果しか検知できず、災害発生の起きる直前の前兆を捉えて予知を行うことができないという問題点があった。
【０００６】
また、少なくとも災害検知センサとセンサ送信機との間には電源ケーブルや信号ケーブルの敷設があり、センサ送信機には電源ケーブルの敷設があるため、災害状況によってはケーブルの断線が起こる可能性があり、信頼性に欠けるという問題点もあった。
【０００７】
本発明は、以上述べたような問題点を解決するために成されたものであり、崖崩れ，土砂崩れ，地滑り等の発生状況を面で捉えて常時観測すると共に、微小変動を捉えて災害発生の起きる直前の前兆を予知することにより、地域内の住民に逸早い避難勧告を同報無線にて行うことができる、センサ入力機能付きバッテリーレス型ＲＦＩＤタグを用いた崩落予知システムを提供することを目的とする。
【課題を解決するための手段】
【０００８】
上記課題を解決するため、本発明のセンサ入力機能付きバッテリーレス型ＲＦＩＤタグを用いた崩落予知システムにおいては、崖崩れ，土砂崩れ，地滑り等の発生状況をバッテリーレスにて常時観測するための変動検知センサと、前記変動検知センサより設置箇所の変動データを無線通信にて取得するための検知中継装置と、前記変動データを収集して解析処理を行うと共に、災害発生の予知と発生直前における避難勧告を行うための同報無線システムにて構成し、
前記崖崩れ，土砂崩れ，地滑り等の発生状況をバッテリーレスにて常時観測するための変動検知センサにあっては、バイアス電源が無くとも変動に応じたセンサ信号が出力される磁気平衡型３軸加速度センサと、該磁気平衡型３軸加速度センサから出力されるセンサ信号を処理して変動データを検知することができるセンサ入力機能付きバッテリーレス型ＲＦＩＤタグとを密閉された直線状の筒体の上下両端部に内蔵し若しくは十字状の筒体の上下両端部及び左右両端部に内蔵して構成し、
前記変動検知センサより設置箇所の変動データを取得ための検知中継装置にあっては、前記磁気平衡型３軸加速度センサを接続したセンサ入力機能付きバッテリーレス型ＲＦＩＤタグと無線通信を行うことにより変動データを取得することができるリーダーと、該変動データを同報無線を中継して防災センターに伝送すべく前記同報無線と無線通信を行うためのＲＦ通信装置と、当該検知中継装置設置部の変動データを検知するための変動検知センサと、前記リーダーとＲＦ通信装置に電源供給を行うための太陽電池とバッテリー及び電源回路にて構成する。
【０００９】
また、上記変動検知センサ及び検知中継装置の設置方法にあっては、崖崩れ，土砂崩れ，地滑り等の発生の可能性の高い崖等の斜面において、変動検知センサを検知中継装置を中心として放射状に複数箇所及び当該検知中継装置自体に設置し、更に前記組み合せを互いに影響しないような距離を持たせて検知すべき領域の広さに応じて複数箇所に設置する。
【００１０】
また、変動データより災害発生の予知と発生直前における避難勧告を行う方法にあっては、上記変動検知センサ及び検知中継装置にて取得した変動データを同報無線を中継して防災センターに伝送すると共に、該防災センター内のサーバーにてデータ解析処理を行い、災害発生が起きる可能性が高いと判断された場合に避難勧告を前記同報無線にて行う。
【発明の効果】
【００１１】
本発明のセンサ入力機能付きバッテリーレス型ＲＦＩＤタグを用いた崩落予知システムによれば、変動検知センサを検知中継装置を中心として放射状に複数箇所及び当該検知中継装置自体に設置し、更に前記組み合せを検知すべき領域の広さに応じて複数箇所に設置するため、崖崩れ，土砂崩れ，地滑り等の精細な発生状況を面で捉えて常時観測することができ、微小変動を捉えて災害発生の起きる直前の前兆を予知することにより、地域内の住民に逸早い避難勧告を同報無線にて行うことができるという絶大なる効果を奏する。また、変動検知センサはバッテリーレスで作動し、検知中継装置も太陽電池にて作動できるため、ケーブルの敷設が不要となり、信頼性が向上するという効果も奏する。
【発明を実施するための最良の形態】
【００１２】
本発明を実施するための最良の形態を図を用いて説明する。
【００１３】
図３は本発明のセンサ入力機能付きバッテリーレス型ＲＦＩＤタグを用いた崩落予知システムで用いる第一実施例の変動検知センサの構造図である。該図に示すように、崖崩れ，土砂崩れ，地滑り等の発生状況をバッテリーレスにて常時観測するための変動検知センサ１は、バイアス電源が無くともセンサ信号が出力される磁気平衡型３軸加速度センサ１５と、該磁気平衡型３軸加速度センサ１５から出力されるセンサ信号を入力して変動データを得ることができるセンサ入力機能付きバッテリーレス型ＲＦＩＤタグを、密閉された直線状の筒体１４の上下両端部に内蔵して構成する。前記センサ入力機能付きバッテリーレス型ＲＦＩＤタグはＲＦＩＤタグチップ２１及びアンテナ２２にて構成し、下部にあるセンサ入力機能付きバッテリーレス型ＲＦＩＤタグのアンテナ２２を筒体１４の上部側に配置する。また、前記筒体１４の全長の半分程度を崖４等の斜面に挿入することにより、下部にある磁気平衡型３軸加速度センサ１５と上部にある磁気平衡型３軸加速度センサ１５にて異なった変動の変化を捉えることができる。
【００１４】
また、図４は本発明のセンサ入力機能付きバッテリーレス型ＲＦＩＤタグを用いた崩落予知システムで用いる第二実施例の変動検知センサの構造図である。該実施例においては、上記図３の図中Ａ部に崖４等の斜面と平行な筒体１４を設けた十字状とし、上記と同様に磁気平衡型３軸加速度センサ１５と、該磁気平衡型３軸加速度センサ１５から出力されるセンサ信号を入力して変動データを得ることができるセンサ入力機能付きバッテリーレス型ＲＦＩＤタグを、密閉された十字状の筒体１４の上下両端部及び左右両端部に内蔵して構成する。前記センサ入力機能付きバッテリーレス型ＲＦＩＤタグはＲＦＩＤタグチップ２１及びアンテナ２２にて構成し、下部及び横方向にあるセンサ入力機能付きバッテリーレス型ＲＦＩＤタグのアンテナ２２を縦方向の筒体１４の上部側に配置する。また、前記横方向の筒体１４を図中Ｂ−Ｂ線で示す崖４等の内部に埋設することにより、検知範囲を拡大させることができ、より精細な変動データを取得することができる。
【００１５】
上記第一実施例及び第二実施例の変動検知センサ１において、下部又は横方向にあるセンサ入力機能付きバッテリーレス型ＲＦＩＤタグのアンテナ２２を縦方向の筒体１４の上部側に配置するのは、後述の検知中継装置２との無線通信を確実に行わせるためである。なお、上記第一実施例及び第二実施例の変動検知センサ１における筒体１４の長さは１〜１．５ｍ程度とし、材質は合成樹脂とするのが好適であるが、特に限定するものではない。また、前記第一実施例及び第二実施例で示した変動検知センサ１に、外形構造又は回路構成に多少の変形を成したものであっても同等の機能を有するものであれば、本願の変動検知センサ１に包含されるものである。
【００１６】
図５は本発明の変動検知センサを構成する磁気平衡型３軸加速度センサの構成図であり、該磁気平衡型３軸加速度センサ１５は磁気平衡型加速度センサエレメント１５ａ，１５ｂ，１５ｃをＸ軸，Ｙ軸及びＺ軸方向に互いに直交するように配設して構成する。各磁気平衡型加速度センサエレメント１５ａ，１５ｂ，１５ｃには、それぞれコイル１６ａ，１６ｂ，１６ｃが巻かれている。該図は磁気平衡型３軸加速度センサ１５の基本構成を示したものであり、実際には５ｍｍ角程度のハウジングケースに収容して成形し、センサ入力機能付きバッテリーレス型ＲＦＩＤタグに接続するものである。
【００１７】
図６は本発明の変動検知センサを構成する磁気平衡型３軸加速度センサの構造図及び出力電圧波形図であり、磁気平衡型３軸加速度センサ１５を構成する各磁気平衡型加速度センサエレメント１５ａ，１５ｂ，１５ｃは、シリンダ１７の内部に可動マグネット１８を収容すると共に、当該シリンダ１７の両端部に可動マグネット１８の極性と同一極性が対向するように固定マグネット２０，２０を固設し、シリンダ１７内部の軸方向に振動可能に可動マグネット１８を平衡配置する。更に、可動マグネット１８の両端部に硬球１９，１９を配設すると共に当該可動マグネット１８の一先端部分のシリンダ１７外面に誘導起電力を発生させるためのコイル１６を巻く。なお、硬球１９，１９はシリンダ１７の内部を可動マグネット１８が振動する際にシリンダ１７の内面と硬球１９，１９が点接触することにより滑り摩擦による影響を減少させるためのものであるが、影響が無視できるものであればなくても構わない。
【００１８】
ここで、磁気平衡型加速度センサエレメント１５ａ，１５ｂ，１５ｃが図中矢印方向に１周期だけ振動した場合、コイル１６からはＶ１で示す１サイクルの交流電圧が発生する。該振動の強さ即ち変動検知センサ１の変動の強さにより誘導起電力の電圧値が変化するため、電圧値の大きさ及び変動時間を計測することにより変動検知センサ１の変動量が検知可能になる。従って、バイアス電源が無くとも変動に応じたセンサ信号を出力することができる。また、交流電圧の極性を判断することにより変動方向の判別が可能になる。
【００１９】
また、図７は本発明の変動検知センサを構成するセンサ入力機能付きバッテリーレス型ＲＦＩＤタグのブロック図である。該図において、アンテナ２２は後述の検知中継装置２内のリーダー３２と電磁波による無線通信を行うため、ＲＦＩＤチップ２１内又は一部ＲＦＩＤチップ２１外の同調キャパシタ（図示せず）から成る同調回路２３に接続し、本発明のセンサ入力機能付きバッテリーレス型ＲＦＩＤタグを用いた崩落予知システムで使用するキャリア周波数として例えば９５０ＭＨｚ帯に同調させて共振回路を構成する。
【００２０】
上記同調回路２３の後段には、リーダー３２のアンテナ３３から送信された電磁波が当該センサ入力機能付きバッテリーレス型ＲＦＩＤタグのアンテナ２２を通過した時に発生する誘導起電力の電圧波形を検波したり、該誘導起電力を半波又は全波整流して直流電圧を取り出すための整流回路２４を接続する。
【００２１】
次に、上記整流回路２４の後段には、検波したキャリアを分周してシステム用のクロックを生成するためのクロック生成回路２５と、信号受信時においてキャリアから信号を取り出す復調動作を行ったり信号送信時においてスイッチング素子（図示せず）により変調動作を行うための変復調回路２６と、上記直流電圧を安定化して回路電源を供給したり、充電用コンデンサ２８に充電電圧を供給するための電源回路２７を接続する。該充電用コンデンサ２８は一般的にはセラミックコンデンサであり、電力を必要とする場合には大容量型の電気二重層コンデンサ等が好適であるが、特に限定するものではない。
【００２２】
次に、上記変復調回路２６の後段には、該変復調回路２６の制御や不揮発性メモリであるＦＲＡＭ（Ferroelectric RAM：米国Ramtron社の登録商標）３０に対する当該ＲＦＩＤチップ２１の固有ＩＤ情報や変動データ等のデータの書込み又は読出し制御を行うためのロジック回路２９を接続する。また、磁気平衡型加速度センサ１５の各磁気平衡型加速度センサエレメント１５ａ，１５ｂ，１５ｃより出力されるセンサ信号を変動データに変換するためのＡ／Ｄ変換回路３１を前記ロジック回路２９とＦＲＡＭ３０に接続する。また、後述の検知中継装置２において、当該検知中継装置２に内蔵されたＲＦＩＤチップ２１とリーダー３２間において直接通信を行うための通信信号線を、変復調回路２６及びロジック回路２９の信号線より引き出して外部通信ポートとしておく。
【００２３】
なお、上記ＦＲＡＭ３０は強誘電体型の不揮発性メモリであり、回路電源がＯＦＦになっても当該ＲＦＩＤチップ２１の固有ＩＤ情報や変動データ等のデータは消失することはない。また、データの書込み電圧は、ＥＥＰＲＯＭやフラッシュメモリのように高圧に昇圧する必要がないため、昇圧回路が簡略化される。また、書込み又は読出し速度はＤＲＡＭと同等であり、ＥＥＰＲＯＭやフラッシュメモリよりはるかに高速であるという特徴を持つものである。このように、不揮発性メモリとしてはＦＲＡＭ３０が好適であるが他のメモリを使用しても構わない。
【００２４】
また、図８は本発明のセンサ入力機能付きバッテリーレス型ＲＦＩＤタグを用いた崩落予知システムで用いる検知中継装置のブロック図である。該図に示すように、上記変動検知センサ１より設置箇所の変動データを取得ための検知中継装置２は、磁気平衡型３軸加速度センサ１５を接続したセンサ入力機能付きバッテリーレス型ＲＦＩＤタグと無線通信を行うことにより変動データを取得することができるリーダー３２と、該変動データを同報無線５を中継して防災センター７に伝送すべく前記同報無線５と無線通信を行うためのＲＦ通信装置３４と、当該検知中継装置２設置部の変動データを検知するための変動検知センサ１と、前記リーダー３２とＲＦ通信装置３４に電源供給を行うための太陽電池３とバッテリー３６及び電源回路３７にて構成する。前記変動検知センサ１を構成するＲＦＩＤチップ２１においては、内部の変復調回路２６及びロジック回路２９に接続されている通信信号線を外部通信ポートとして端子を中継して直接リーダー３２に接続し、変動データを入力するのが好ましい。
【００２５】
なお、上記リーダー３２にはアンテナ３３を接続し、変動検知センサ１内にあるセンサ入力機能付きバッテリーレス型ＲＦＩＤタグを構成するＲＦＩＤチップ２１に接続されたアンテナ２２と無線通信を行う。また、上記ＲＦ通信装置３４にはアンテナ３５を接続し、同報無線５に接続されたアンテナ６と無線通信を行う。
【実施例】
【００２６】
本発明の実施例を図を用いて説明する。
【００２７】
図１は本発明のセンサ入力機能付きバッテリーレス型ＲＦＩＤタグを用いた崩落予知システムの一実施例によるシステム構成図であり、図２は本発明のセンサ入力機能付きバッテリーレス型ＲＦＩＤタグを用いた崩落予知システムで用いる変動検知センサ及び検知中継装置の崖等への設置状態を示す図である。該図に示すように、崖崩れ，土砂崩れ，地滑り等の発生の可能性の高い崖４等の斜面において、変動検知センサ１を検知中継装置２を中心として放射状に複数箇所及び当該検知中継装置２自体に設置し、更に前記組み合せを互いに影響しないような距離を持たせて検知すべき領域の広さに応じて複数箇所に設置する。なお、太陽電池３は検知中継装置２に一体化して設置するのが好ましい。
【００２８】
上記変動検知センサ１と検知中継装置２との距離は、本発明のセンサ入力機能付きバッテリーレス型ＲＦＩＤタグを用いた崩落予知システムで使用するＲＦＩＤ通信のキャリア周波数が例えば９５０ＭＨｚ帯であれば、最大５〜９ｍ程度となる。なお、図示するように、縦方向において複数の変動検知センサ１が重なり合わないように配置することにより、岩や土砂の落下や崩落を確率高く検知することができる。
【００２９】
また、上記図３の説明で述べたように、変動検知センサ１の全長の半分程度を崖４等の斜面に挿入することにより、下部にある磁気平衡型３軸加速度センサ１５と上部にある磁気平衡型３軸加速度センサ１５にて異なった変動の変化を捉えることができる。また、上記図４の説明で述べたように、第二実施例の変動検知センサ１は第一実施例の変動検知センサ１より検知範囲を拡大させることができるため、より精細な変動データを取得する場合において使用するのが好ましい。
【００３０】
ここで、崖崩れ，土砂崩れ，地滑り等の発生状況は、昼間は太陽電池３の発電にて検知中継装置２を作動させて観測を行うことにより変動検知センサ１より変動データを取得し、夜間や雨天には前記太陽電池３で充電されたバッテリー３６にて検知中継装置２を作動させて観測を行うことにより変動検知センサ１より変動データを取得し、昼夜を問わず常時観測が行えることになる。
【００３１】
上記変動検知センサ１内の磁気平衡型３軸加速度センサ１５を接続したセンサ入力機能付きバッテリーレス型ＲＦＩＤタグ２１には固有ＩＤ情報が付与されているため、変動検知センサ１のシリアルナンバーと設置位置及び変動データをデータベース化して管理することにより、設置位置における変動データが明確化される。
【００３２】
次に、上記検知中継装置２にて取得された変動データは、当該検知中継装置２内のＲＦ通信装置３４とブロック毎にある同報無線５と無線通信を行うことにより当該同報無線５を中継して防災センター７に収集される。そして、収集された変動データを当該防災センター７内のサーバー９にてデータ解析処理を行うことにより、災害発生の予知を行うことができる。更には、災害発生が起きる可能性が高いと判断された場合には避難勧告を前記同報無線５にて行うことができる。
【００３３】
従って、災害発生の起きる直前において、崖４等を背後や側面に控えた平地１１を走行する列車１２の通過停止や住宅１３に住む住民への逸早い避難勧告を行って安全を図ることができることになる。
【００３４】
また、防災センター７のサーバー９をインターネット１０に接続することにより、同報無線５以外にパソコンや携帯電話（図示せず）のメールにて上記避難勧告を受けることも可能となる。
【図面の簡単な説明】
【００３５】
【図１】本発明のセンサ入力機能付きバッテリーレス型ＲＦＩＤタグを用いた崩落予知システムの一実施例によるシステム構成図である。
【図２】本発明のセンサ入力機能付きバッテリーレス型ＲＦＩＤタグを用いた崩落予知システムで用いる変動検知センサ及び検知中継装置の崖等への設置状態を示す図である。
【図３】本発明のセンサ入力機能付きバッテリーレス型ＲＦＩＤタグを用いた崩落予知システムで用いる第一実施例の変動検知センサの構造図である。
【図４】本発明のセンサ入力機能付きバッテリーレス型ＲＦＩＤタグを用いた崩落予知システムで用いる第二実施例の変動検知センサの構造図である。
【図５】本発明の変動検知センサを構成する磁気平衡型３軸加速度センサの構成図である。
【図６】本発明の変動検知センサを構成する磁気平衡型３軸加速度センサの構造図及び出力電圧波形図である。
【図７】本発明の変動検知センサを構成するセンサ入力機能付きバッテリーレス型ＲＦＩＤタグのブロック図である。
【図８】本発明のセンサ入力機能付きバッテリーレス型ＲＦＩＤタグを用いた崩落予知システムで用いる検知中継装置のブロック図である。
【符号の説明】
【００３６】
１  変動検知センサ
２  検知中継装置
３  太陽電池
４  崖
５  同報無線
６  アンテナ
７  防災センター
８  アンテナ
９  サーバー
１０  インターネット
１１  平地
１２  列車
１３  住宅
１４  筒体
１５  磁気平衡型３軸加速度センサ
１６  コイル
１７  シリンダ
１８  永久磁石
１９  硬球
２０  永久磁石
２１  ＲＦＩＤチップ
２２  アンテナ
２３  同調回路
２４  整流回路
２５  クロック生成回路
２６  変復調回路
２７  電源回路
２８  充電用コンデンサ
２９  ロジック回路
３０  ＦＲＡＭ
３１  Ａ／Ｄ変換回路
３２  リーダー
３３  アンテナ
３４  ＲＦ通信装置
３５  アンテナ
３６  バッテリー
３７  電源回路
【図１】
2007128187.tif 000003
【図２】
2007128187.tif 000004
【図３】
2007128187.tif 000005
【図４】
2007128187.tif 000006
【図５】
2007128187.tif 000007
【図６】
2007128187.tif 000008
【図７】
2007128187.tif 000009
【図８】
2007128187.tif 000010